(57)【特許請求の範囲】
【請求項１】
縦方向及び横方向と、肌当接面及びその反対側の非肌当接面とを有し、前ウエスト域と、後ウエスト域と、前記前ウエスト域及び前記後ウエスト域間に位置するクロッチ域と、前記クロッチ域から前記前ウエスト域及び前記後ウエスト域へ延びる吸収体とを含む使い捨ての着用物品において、
前記後ウエスト域は、前記肌当接面側に位置して前記横方向へ延びるウエスト当接域と、前記横方向における中央部において前記ウエスト当接域と厚さ方向において対向し、前記非肌当接面側に位置して前記クロッチ域側へ開口可能なポケットとを有し、
前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、
前記ポケット内側域、前記ポケット外側域及び前記ポケット外側域から前記クロッチ域側へ延びる延出域のうちの少なくとも一つの領域において、前記ポケットの開口近傍には、剛性付与部材が配置されており、
前記剛性付与部材は、前記吸収体の後端縁から前記縦方向の外側へ延在していることを特徴とする着用物品。
【請求項２】
前記後ウエスト域は、前記ポケット外側域及び前記延出域の前記非肌当接面を形成する外面シートを有し、前記剛性付与部材は、前記外面シートの前記肌当接面側に位置する請求項１に記載の着用物品。
【請求項３】
前記剛性付与部材の前記縦方向における外端縁は、前記折曲部と重なって又は前記折曲部に近接して位置する請求項１又は２に記載の着用物品。
【請求項４】
前記剛性付与部材は、前記吸収体よりも高い反撥性を有する請求項１〜３のいずれかに記載の着用物品。
【請求項５】
前記剛性付与部材は、単層又は複数層からなるシート部材から形成される請求項１〜４のいずれかに記載の着用物品。
【請求項６】
前記ポケット内側域及び前記ポケット外側域のそれぞれは、前記ポケットの開口の前記横方向の両側において前記ウエスト当接域に固定される両側固定部を有する請求項１〜５のいずれかに記載の着用物品。
【請求項７】
前記ポケット内側域の前記横方向における収縮率は、前記ポケット外側域の前記横方向における収縮率よりも高い請求項１〜６のいずれかに記載の着用物品。
【請求項８】
前記ウエスト当接域の前記横方向における収縮率は、前記ポケット内側域及び前記ポケット外側域の前記横方向における収縮率よりも高い請求項１〜７のいずれかに記載の着用物品。
【請求項９】
前記ポケットは、前記ポケット内側域の両側部及び前記ポケット外側域の両側部から形成され、かつ、前記横方向の内側へ折り込まれたポケット両側域を有し、前記ポケット両側域には前記剛性付与部材が配置される請求項１〜８のいずれかに記載の着用物品。
【請求項１０】
前記剛性付与部材は、着色されている請求項１〜９のいずれかに記載の着用物品。
【請求項１１】
前記剛性付与部材の前記肌当接面側に配置され、少なくとも前記吸収体の後端縁から前記折曲部まで延びる不透液性のシートをさらに有する請求項１〜１０のいずれかに記載の着用物品。
【請求項１２】
前記吸収体は、前記後ウエスト域において前記縦方向へ延びる変形誘導部を有する請求項１〜１１のいずれかに記載の着用物品。
【発明の詳細な説明】
【技術分野】
【０００１】
本発明は、使い捨ての着用物品に関する。
【背景技術】
【０００２】
従来、排泄物を収容、保持するためポケットを備えた使い捨ての着用物品は公知である。例えば、特許文献１には、クロッチ域から前後ウエスト域へ延びる吸収体と、後ウエスト域の肌当接面側に位置し、かつ、吸収体の後端部を被覆するように横断する伸縮性シートとを有し、伸縮性シートと吸収体との間に、排泄物を収容するためのポケットが画定された使い捨ての着用物品が開示されている。
【先行技術文献】
【特許文献】
【０００３】
【特許文献１】特開２００１−２５２３０３号公報
【発明の概要】
【発明が解決しようとする課題】
【０００４】
特許文献１に開示された着用物品では、ウエスト開口側へ移動した排泄物をクロッチ域へ向かって開口するポケットに収容、保持することができる。
【０００５】
しかし、特許文献１の着用物品では、着用状態において、前後ウエスト域がウエスト周り方向へ伸長されるのと連動して伸縮シートが伸長されるので、伸縮シートが吸収体の前後端部に密着するようにして着用者の身体にフィットされる。それにより、伸縮シートと吸収体の後端部との間に画定される収容ポケットの開口が閉じたような態様となり、排泄物がポケットに進入せず、伸縮シート上に移動して着用者の背面が汚れるおそれがある。かかる事態を避けるために、後ウエスト域によるフィット性を低下させた場合には、ポケットは形成され易くなるが、フィット性の低下によって身体と後ウエスト域との間に隙間が形成されて、ポケット内ではなく、伸縮シート上に排泄物が移動してしまうおそれがある。
【０００６】
本発明の課題は、従来の着用物品の改良であって、後ウエスト域において、ウエスト開口側へ移動する排泄物を収容、保持し、かつ、排泄物が着用者の肌に触れるのを抑制することのできるポケットを備えた使い捨ての着用物品の提供にある。
【課題を解決するための手段】
【０００７】
前記課題を解決するために、本発明は、縦方向及び横方向と、肌当接面及びその反対側の非肌当接面とを有し、前ウエスト域と、後ウエスト域と、前記前ウエスト域及び前記後ウエスト域間に位置するクロッチ域と、前記クロッチ域から前記前ウエスト域及び前記後ウエスト域へ延びる吸収体とを含む使い捨ての着用物品に関する。
【０００８】
本発明に係る使い捨ての着用物品において、前記後ウエスト域は、前記肌当接面側に位置して前記横方向へ延びるウエスト当接域と、前記横方向における中央部において前記ウエスト当接域と厚さ方向において対向し、前記非肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット内側域、前記ポケット外側域及び前記ポケット外側域から前記クロッチ域側へ延びる延出域のうちの少なくとも一つの領域において、前記ポケットの開口近傍には、剛性付与部材が配置されており、前記剛性付与部材は、前記吸収体の後端縁から前記縦方向の外側へ延在している。
【発明の効果】
【０００９】
本発明に係る使い捨ての着用物品は、後ウエスト域において、肌当接面側に位置するウエスト当接域と、ウエスト当接域と厚さ方向において対向し、非肌当接面側に位置してクロッチ域側へ開口可能なポケットを有しているので、ウエスト当接域によって着用物品のフィット性を維持し、ウエスト開口側へ移動する排泄物をポケット内に流入させて収容、保持することができ、排泄物が肌に触れるのを抑制することができる。
【図面の簡単な説明】
【００１０】
【図１】本発明に係る使い捨ておむつの背面図。
【図２】各弾性体をおむつの縦方向及び横方向に伸長させた状態における、おむつの一部破断展開図。
【図３】おむつの分解斜視図。
【図４】おむつの非着用状態における後ウエスト域を上方から視た図。
【図５】おむつの着用状態における後ウエスト域の斜視図。
【図６】図１に示すＶＩ−ＶＩ線に沿う模式的断面図。
【図７】図５に示すＶＩＩ−ＶＩＩ線に沿う模式的断面図。
【図８】（ａ）ベースシートの一部破断展開平面図。（ｂ）ベースシートの折り畳み行程を示す図。（ｃ）ベースシートが第１及び第２折曲ラインに沿って折曲された状態を示す図。（ｄ）ベースシートが第３折曲ラインによって折曲された状態を示す図。
【図９】図４に示すＩＸ−ＩＸ線に沿う模式的断面図。
【図１０】ベースシートの他の例を示す図６と同様の断面図。
【図１１】変形例１における図６と同様の断面図。
【図１２】変形例２における図６と同様の断面図。
【発明を実施するための形態】
【００１１】
下記の実施の形態は、本発明の使い捨ての着用物品の例である図１〜１２に示す使い捨てのおむつに関し、発明の不可欠な構成ばかりではなく、選択的及び好ましい構成を含む。図２において、後述する各弾性体は、その収縮力に抗して、横方向Ｘ及び縦方向Ｙへの収縮力により、各弾性体が取り付けられた部材に生じたギャザーが自然な視覚によって実質的に無くなっているように見える程度にまで伸長された状態にある。なお、図１、図４〜図７、図１０〜図１２において、剛性付与部材の配置領域にはドットを付している。
【００１２】
図１及び図２を参照すると、本発明の使い捨ての着用物品の一例として示すプルオンタイプ（パンツ型）の使い捨てのおむつ１０は、縦方向Ｙと、横方向Ｘと、それらに直交する厚さ方向Ｚと、着用状態における上下方向とを有し、縦方向Ｙに沿って延び、おむつ１０の横方向Ｘの寸法を２等分する縦軸Ｐと、横方向Ｘへ沿って延び、おむつ１０の縦方向Ｙの寸法を２等分する横軸Ｑとを有する。おむつ１０は、肌当接面及びそれに対向する非肌当接面と、前ウエスト域１１と、後ウエスト域１２と、前後ウエスト域１１，１２の間に位置するクロッチ域１３とを有する。後ウエスト域１２には、クロッチ域１３へ向かって開口するポケット２０が形成されており、ポケット２０の開口近傍には剛性付与部材３０が配置される。
【００１３】
おむつ１０は、ウエスト周り方向へ延びる環状の弾性ウエストパネル１４と、弾性ウエストパネル１４に接合される吸収シャーシ１５とを含む。弾性ウエストパネル１４は、前ウエスト域１１に位置する前ウエストパネル１６と、後ウエスト域１２に位置する後ウエストパネル１７とを含み、おむつ１０は、縦軸Ｐに関してほぼ対称に形成されている。弾性ウエストパネル１４には、ポケット２０を形成するベースシート４０が取り付けられる。なお、本明細書において、「おむつ１０の平面視において互いに重なる」とは、厚さ方向Ｚにおいて互いに重なることを意味する。
【００１４】
前後ウエスト域１１，１２は、それぞれ、横方向Ｘへ延びる内端縁１１ａ，１２ａと、縦方向Ｙにおいて内端縁１１ａ，１２ａと離間対向して横方向Ｘへ延びる外端縁（前後ウエスト開口縁）１１ｂ，１２ｂと、内外端縁１１ａ，１１ｂ，１２ａ，１２ｂ間において縦方向Ｙへ延びる両側縁１１ｃ，１２ｃとによって画定された横長矩形状を有する。前ウエスト域１１の両側縁１１ｃのそれぞれと後ウエスト域１２の両側縁１２ｃのそれぞれとは、互いに重ね合わされて、縦方向Ｙへ断続的に配置されたサイドシーム１８によって連結されておむつ１０の両側縁部が形成され、ウエスト開口１９と一対のレッグ開口とが画定される。サイドシーム１８は、公知の接着手段、例えば、熱エンボス／デボス加工、ソニック加工等の各種公知の熱溶着手段によってなされる。
【００１５】
＜弾性ウエストパネル＞
図２及び図３を参照すると、前ウエストパネル１６は、前ウエスト域１１の外形を画定する前ウエストシート５０を有する。前ウエストシート５０は、吸収シャーシ１５の前端部１５Ａが配置される主体部５１と、主体部５１の縦方向Ｙの外側に位置する延出部５２を有する。延出部５２は、横方向Ｘへ延びる折曲ラインに沿って縦方向Ｙの内側に折曲されて、主体部５１と、主体部５１の内面に配置された吸収シャーシ１５の前端部１５Ａとに固定される。前ウエストシート５０の主体部５１と延出部５２との間には、横方向Ｘへ延びるストリング状又はストランド状の複数条の前ウエスト弾性体５５が伸長状態で収縮可能に取り付けられる。前ウエストシート５０の前ウエスト弾性体５５よりもクロッチ域１３側の部分には、横方向Ｘへ伸縮可能な前補助シート５３が配置される。
【００１６】
後ウエストパネル１７は、肌当接面側に位置する内面シート６１と非肌当接面側に位置する外面シート６２とから構成された後ウエストシート６０と、内外面シート６１，６２間に伸長状態収縮可能に固定された、横方向Ｘへ延びる複数条のストリング状又はストランド状の後下方ウエスト弾性体６５を有する。後ウエストパネル１７の肌当接面側であって、ポケット２０の開口と厚さ方向Ｚにおいて重なる部位には、シート状の剛性付与部材３０が配置されており、後ウエストパネル１７の外端部には、後ウエスト域１２の一部を形成するとともに、ポケット２０を形成するベースシート４０が配置される。
【００１７】
＜ポケット＞
図１、図４〜図６を参照すると、おむつ１０は、後ウエスト域１２のウエスト開口１９側において着用者の身体に当接するウエスト当接域３１を有し、ウエスト当接域３１は、後ウエスト域１２の横方向Ｘのほぼ中央に位置し、内端部３２ａと外端部位３２ｂとを有する中央部３２を有する。また、おむつ１０は、厚さ方向Ｚ（着用状態における前後方向）において、ウエスト当接域３１と対向するように位置するポケット２０を有する。ポケット２０は、縦軸Ｐを中心として横方向Ｘへ広がる所定面積域にわたって形成されており、下方へ向かって（クロッチ域１３側へ向かって）開口可能、かつ、ウエスト当接域３１から後方へ向かって離間するように開口可能である。ウエスト当接域３１とポケット２０とは、後ウエスト域１２のウエスト開口１９側に位置する。ここで、「後ウエスト域１２のウエスト開口１９側」とは、後ウエスト域１２の縦方向Ｙの寸法を２等分する線よりも外端縁１２ｂ側の領域を意味する。
【００１８】
ポケット２０は、中央部３２と厚さ方向Ｚにおいて対向し、クロッチ域１３側からウエスト開口１９側へ延びるポケット外側域２３と、ポケット外側域２３とウエスト当接域３１とにそれぞれ厚さ方向Ｚにおいて対向し、横方向Ｘへ延びる折曲部２５を介してポケット外側域２３と連なるとともに、折曲部２５から下方へ延びてウエスト当接域３１の中央部３２の内端部３２ａとつながるポケット内側域２２と、ポケット内外側域２２,２３の両側部から形成され、横方向Ｘの内側へ折り込まれたポケット両側域２４とによって画成される。ポケット内側域２２とウエスト当接域３１の中央部３２とがつながることによって、下方へ向かって折り曲げられた折曲部２７が形成される。ポケット内外側域２２,２３の両側部は、互いに重ね合されてポケット両側域２４を形成するとともに、ポケット両側域２４の横方向Ｘ外側の部分からなる両側固定部２６がウエスト当接域３１の両側部に固定される。両側固定部２６は、サイドシーム１８から横方向Ｘの内側へ延びており、そのため、ポケット２０はサイドシーム１８間において開口する大きさを有するものではなく、少なくとも、後ウエスト域１２の中央部において開口する程度の大きさを有する。
【００１９】
ポケット両側域２４は、横方向Ｘの内側へ（縦軸Ｐへ向かって）折り込まれている。図４を参照すると、おむつ１０の非着用状態における、折曲部２７とポケット両側域２４とがそれぞれ僅かに展開された状態において、中央部３２とポケット２０との間には、上方へ開口した凹部３４が画定される。ポケット両側域２４は、伸展可能に折り込まれる限りにおいて、意図せずに折曲された部分を含めて複数折曲されて、縦方向Ｙへ延びる折曲ラインが複数形成されていてもよい。
【００２０】
このように、ポケット２０は、下方向へ向かって折り曲げられた折曲部２７と、横方向Ｘの内側へ向かって折り込まれたポケット両側域２４と、ウエスト開口１９へ（上方向へ）向かって折り曲げられた折曲部２５とを有し、それらが互いに異なる方向（３方向）へ折曲されていることによって、ウエスト当接域３１がウエスト周り方向へ伸長されたときに、ポケット両側域２４が起立して、ポケット内側域２２がウエスト当接域３１の中央部３２から離間するように後方へ移動する（図５参照）。図６及び図７を参照すると、ポケット内側域２２は、中央部３２に対して傾斜して位置し、それが後方へ移動するほどに中央部３２に対する傾斜角度αは大きくなる。したがって、傾斜角度αが大きくなるほどに、ポケット内側域２２は倒伏した状態となってポケット２０の天面としての役割を果たし、ポケット２０はその内部に比較的に多くの排泄物を収容、保持することが可能なポケット空間（収容スペース）Ｓを有するボックス状を呈する。
【００２１】
図１〜図３を参照すると、ポケット２０の横方向Ｘ外側に位置する、後ウエスト域１２の両側部には、一対のテープファスナ６６が配置される。テープファスナ６６は、側縁１２ｃの近傍に固定された固定部６７と、固定部６７から横方向Ｘ外方へ延出する自由部６８とを含む。自由部６８は、テープファスナ６６を前ウエスト域１１及びクロッチ域１３の非肌当接面に剥離可能に止着するための止着域６８Ａを有する。固定部６７は、横方向Ｘにおいてポケット２０に重なるように、少なくとも一部がポケット外側域２３の両側固定部２６と厚さ方向Ｚにおいて重なることが好ましい。
【００２２】
＜ベースシート＞
図３及び図８（ａ）を参照すると、ベースシート４０は、横方向Ｘへ延びる内端縁４０ａ及び外端縁（後ウエスト開口縁１２ｂ）４０ｂと、内外端縁４０ａ，４０ｂ間において縦方向Ｙへ延びる両側縁４０ｃとによって画定された横長矩形状であって、第１面７０Ａ（肌当接面）とその反対側に位置する第２面７０Ｂ（非肌当接面）と、横方向Ｘへ並行して延びる第１折曲線４１と第２折曲線４２とを有する。ベースシート４０は、外端縁４０ｂと第１折曲線４１との間に位置する外端部４３と、第１折曲線４１と第２折曲線４２との間に位置する中間部４４と、第２折曲線４２と内端縁４０ａとの間に位置する内端部４５とを有する。外端部４３の第２面７０Ｂ側には、横方向Ｘに対向して位置する一対の第１接合域７１Ａが位置し、それらの間には第１非接合域７１Ｂが位置する。中間部４４の第１面７０Ａ側には、横方向Ｘに対向して位置する一対の第２接合域７２Ａが位置し、それらの間には第２非接合域７２Ｂが位置する。
【００２３】
ベースシート４０は、肌当接面側に位置する内面シート４６と、非肌当接面側に位置する外面シート４７と、外端部４３において横方向Ｘへ延び、内外面シート４６，４７間において伸長状態で収縮可能に固定された複数条のストリング状又はストランド状の後上方ウエスト弾性体４８とを有する。図６を参照すると、内外面シート４６，４７間には、さらに不透液性シート７５を配置することができる。不透液性シート７５は、好ましくは通気性を有する、繊維不織布又はプラスチックフィルムから形成されたものであって、内端部４５及び中間部４４に位置する。繊維不織布からなるベースシート４０のみでは、流動性の高い軟便を十分に保持することができず、その外面に滲出するおそれがあるところ、不透液性シート７５を配置することによって防漏性に優れ、かかる軟便の滲出を防ぐことができる。不透液性シート７５は、ベースシート４０においてポケット２０の形成領域に配置され、ポケット２０の開口の横方向Ｘの寸法（すなわち第２非接合域７２Ｂの横方向Ｘの寸法）よりも大きな横方向Ｘの寸法を有することが、体液の滲出をより効果的に防止するうえで好ましい。本実施形態においては、防漏シート８３と別体のシートで不透液性シート７５を形成したが、後述する防漏シート８３をポケット２０内へ延出させてもよい。
【００２４】
図８（ｂ），（ｃ）を参照すると、ベースシート４０は、第１折曲線４１に沿って外端部４３の第２面７０Ｂ側と中間部４４の第２面７０Ｂ側とが互いに当接されるように折曲されるとともに、第２折曲線４２に沿って中間部４４の第１面７０Ａ側と内端部４５の第１面７０Ａ側とが互いに当接されるように折曲されることによって、縦断面において略Ｚ字状に折曲された状態が維持される。
【００２５】
外端部４３と中間部４４とは第１接合域７１Ａにおいて互いに接合され、中間部４４と内端部４５とは第２接合域７２Ａにおいて互いに接合される。第１接合域７１Ａと第２接合域７２Ａとは、それらの横方向Ｘの寸法がほぼ同等であって、それらの間に位置する非接合域７１Ｂ，７２Ｂの横方向Ｘの寸法もほぼ同等であり、第１及び第２非接合域７１Ｂ，７２Ｂは、おむつ１０の平面視において互いに重なって位置する。なお、第２非接合域７２Ｂに比して第１非接合域７１Ｂの横方向Ｘの寸法を大きく、又は小さくしてもよい。第２非接合域７２Ｂに比して第１非接合域７１Ｂの寸法が大きい（すなわち、第２接合域７２Ａに比して第１接合域７１Ａの寸法が小さい）場合には、後述する吸収体８２が排泄物を吸収し、その重さにより下方へ引っ張られたときに、外端部４３（すなわち、ウエスト当接域３１）が中間部４４に引っ張られて下方へずれ下がり難くなる。第１及び第２接合域７１Ａ，７２Ａは、例えば、ホットメルト接着剤等の公知の接着剤を塗布したり、ヒートシール等の公知の熱溶着手段によって形成される。
【００２６】
図８（ｄ）を参照すると、ベースシート４０は、外端部４３が後上方ウエスト弾性体４８によって収縮しており、第１及び第２折曲線４１，４２に沿って折り曲げられて第１及び第２接合域７１Ａ,７２Ａを介して接合された状態から、積層された中間部４４と内端部４５とを第２非接合域７２Ｂの側縁に沿って縦方向Ｙへ延びる一対の第３折曲線４９Ａと第４折曲線（山折り折曲線）４９Ｂとに沿ってさらに折り曲げられることによって、外端部４３を除く部分が断面略Ω状を有する。かかる折り畳まれた状態のベースシート４０の横方向Ｘの寸法は、自然状態（各弾性体が非伸長の状態）における後ウエスト域１２の横方向Ｘの寸法とほぼ同じである。
【００２７】
図２，図３，図６〜図８を参照すると、断面略Ω状に折曲されたベースシート４０が、内端部４５の第２面７０Ｂ側に位置し、横方向Ｘに延びる接合域（第３接合域）７３を介して、吸収シャーシ１５、後ウエストパネル１７及び剛性付与部材に固定される。なお、図２において接合域７３にはドットを付している。このようにベースシート４０が複数の折曲ラインによって折り畳まれた状態で固定されることによって、外端部４３によって後ウエスト域１２のウエスト当接域３１、中間部４４によってポケット内側域２２、内端部４５の中間部４４と対向する部分によってポケット外側域２３がそれぞれ形成される。また、第２接合域７２Ａを介してポケット内側域２２の両側部とポケット外側域２３の両側部とが互いに重なり合った状態で接合され、中間部４４の第２非接合域７２Ｂと、内端部４５の第２非接合域７２Ｂとによってポケット２０が形成される。
【００２８】
本実施形態においては、後ウエストシート６０に別体からなるベースシート４０を固定することによってポケット２０等を形成したが、本発明の技術的な効果を奏する限りにおいて、後ウエストシート６０とベースシート４０とを一体のシートで形成してもよいし、ウエスト当接域３１を後ウエストシート６０と同一のシート部材で形成し、ウエスト当接域３１に別体のシート部材を固定してポケット２０を形成してもよい。また、ベースシート４０を弾性伸縮性の１枚の繊維不織布シートから形成してもよいし、後上方ウエスト弾性体４８の代わりに弾性伸縮性の繊維不織布シートを内外面シート４６，４７間に配置してもよい。したがって、本明細書において、例えば、「ポケット内側域２２がウエスト当接域３１の中央部３２の内端部３２ａとつながる」とは、中央部３２とポケット内側域２２とが同一のシート部材によって形成されて折曲部２７において折曲されている場合と、それらが別体のシート部材から形成されて、折曲部２７において両シート部材が連結されている場合とを含む。また、吸収シャーシ１５を形成するシート部材を後方へ延出させて、後ウエストパネルとそれよりもさらに後方へ延出する部分を折り曲げてポケット２０を形成することもできる。なお、図１０に示すように、後ウエスト域１２において肌当たりを向上するために、ウエスト当接域３１の肌当接面側に伸縮性繊維不織布からなる後補助シート９２を配置してもよい。
【００２９】
＜吸収シャーシ＞
図２，図３及び図６を参照すると、吸収シャーシ１５は、長方形状であって、前端部１５Ａと、後端部１５Ｂと、前後端部１５Ａ，１５Ｂ間に位置する中間部１５Ｃとを有する。吸収シャーシ１５は、肌当接面側に位置し、透液性を有する繊維不織布製の身体側ライナ８１と、吸液性の吸収体８２と、吸収体８２の底面全体を被覆する不透液性のプラスチックフィルムから形成された防漏シート８３と、吸収シャーシ１５の非肌当接面全体を形成する不透液性又は難透液性の被覆シート８４とを含む。吸収体８２は、フラッフパルプと吸収性ポリマー粒子との混合物から形成された芯材と、芯材全体を被包するテッシュペーパ等から形成された液拡散性のコアラップシートとから構成される。ベースシート４０の不透液性シート７５は、吸収体８２の縦方向Ｙ外側であって、その下端部が防漏シート８３と厚さ方向Ｚにおいて重なっている。
【００３０】
図２を参照すると、後ウエスト域１２において、吸収体８２の後端部（平面視において後ウエスト域１２に重なる部位）には、縦方向Ｙへ延びる一以上の変形誘導部８９が形成される。変形誘導部８９は、吸収体８２における他の部位に対して剛性が大きく異なる部位であり、本実施形態では、変形誘導部８９において吸収体８２の剛性が低くなっている。このような変形誘導部８９は、例えば、変形誘導部８９において、芯材の単位面積当たりの質量を低くする、又は芯材の非存在領域を形成する等によって形成することができる。
【００３１】
このように後ウエスト域１２に変形誘導部８９を形成することにより、吸収体８２が着用者の身体（臀部）に沿って変形しやすくなり、剛性付与部材３０が配置されていてもポケット２０が身体形状に沿った湾曲形状を形成しやすくなる。その結果、おむつ１０にポケット２０を配置したことによる着用時の違和感を低減し得る。さらに、変形誘導部８９は、吸収体８２における芯材の後端縁から縦方向Ｙに離間して形成されることが好ましい。かかる構成により、吸収体８２には、後端縁８２ａに沿って芯材が横方向Ｘに連続して延びる、変形誘導部８９の非存在部位が形成され、吸収体８２を丸みを帯びた身体形状に沿ってなだらかに湾曲させることができる。
【００３２】
被覆シート８４は、防漏シート８３の両側縁の横方向Ｘの外側に位置する両側部を有する。両側部は、防漏シート８３の両側縁に隣接して縦方向Ｙへ延びる折曲ラインに沿って内方へ（吸収体８２側へ）折曲されて身体側ライナ８１に固定される。両側部は、身体側ライナ８１に固定されて縦方向Ｙへ互いに離間する両端固定部と、身体側ライナ８１の両側縁部に固定される近位縁部と、両端固定部間において縦方向Ｙへ延び、かつ、近位縁部と並行して縦方向Ｙへ延びる遠位縁部（自由縁部）８５とを有する。遠位縁部８５は、被覆シート８４の外側縁部を折り曲げて固定することによって形成されたスリーブ状をなし、縦方向Ｙへ延びる複数条のストリング状又はストランド状のカフ弾性体８６が伸長状態で収縮可能に配設される。カフ弾性体８６が収縮することによって、該縁部が身体側ライナ８１から着用者の身体側へ離間してバリアカフを形成し、着用者の大腿部にフィットして排泄物の漏れを防止する。また、被覆シート８４の両側部には、縦方向Ｙへ延びる複数条のストリング状又はストランド状のレッグ弾性体８７が伸長状態で収縮可能に固定される。
【００３３】
レッグ弾性体８７は、横方向Ｘにおいて所与寸法離間して配置された複数の弾性材料から形成されており、一定幅において弾性を有する弾性帯を形成するので、着用状態において着用者の脚周りに面状にフィットして排泄物の横漏れを効果的に防止しうる。また、レッグ弾性体８７の後端部は、後ウエスト域１２において後下方ウエスト弾性体６５と平面視において重なっている。レッグ弾性体８７の収縮力の作用するレッグ弾性域と後下方ウエスト弾性体６５の収縮力の作用するウエスト弾性域とが平面視において重なることによって、着用者の大腿部を囲む仮想の弾性帯が形成される。
【００３４】
＜剛性付与部材＞
剛性付与部材３０は、後ウエスト域１２において、ポケット外側域２３及びポケット外側域２３からクロッチ域１３側へ延びる延出域２８の少なくとも一方において、ポケット２０の開口近傍に位置している。ここで、延出域２８とは、後ウエスト域１２の縦方向Ｙにおいて、ポケット外側域２３の内端縁２３ａ（折曲部２７と厚さ方向Ｚにおいて対向する端縁）から、吸収体８２の後端縁８２ａまでの領域をいう（図６参照）。剛性付与部材３０は、着用状態においてポケット２０がポケット空間Ｓを形成する立体形状を呈するようにおむつ１０を構成するシート部材に剛性を付与するためのものであり、単層又は複数層からなるシート状の部材であって、後ウエスト域１２に非肌当接面を形成する外面シート６２よりも肌当接面側に配置される。
【００３５】
本実施形態において剛性付与部材３０は、横長矩形状であり、ベースシート４０及び吸収シャーシ１５と、後ウエストパネル１７との間に配置される。剛性付与部材３０は、横方向Ｘに延びて縦方向Ｙにおいて互いに離間する内外端縁３０ａ，３０ｂと、内外端縁３０ａ，３０ｂ間を縦方向Ｙに延びる両側縁３０ｃとを有する。図３及び図５を参照すると、剛性付与部材３０の横方向Ｘの寸法Ｌ１は、ポケット２０を形成する、ベースシート４０の非接合域７２Ｂの横方向Ｘの寸法Ｌ２とほぼ等しく、剛性付与部材３０の両側縁３０ｃは、ポケット両側域２４又はポケット両側域２４に近接する両側固定部２６に位置している。なお、両側縁３０ｃがポケット両側域２４の内側に位置するように寸法Ｌ１を寸法Ｌ２より小さくてもよい。剛性付与部材３０の厚さ寸法は、ベースシート４０の厚さ寸法よりも大きいことが好ましい。本実施形態において、剛性付与部材３０の外端縁３０ｂは、ポケット外側域２３に位置し、内端縁３０ａは平面視において吸収体８２と重なっており、剛性付与部材３０は、吸収体８２の後端縁８２ａからポケット外側域２３まで延在している。剛性付与部材３０の外端縁３０ｂは、折曲部２５と重なって又は折曲部２５に近接して位置することが好ましく、縦方向Ｙにおける折曲部２５から外端縁３０ｂまでの離間距離は、０〜２０ｍｍであることが好ましい。
【００３６】
剛性付与部材３０としては、例えば、スパンボンド不織布、エアスルー不織布またはプラスチックシート、またはそれらのラミネートシートや、パルプシート等を用いることができる。剛性付与部材３０としてパルプシートを用いる場合には、体液の吸収を防止するために、肌当接面側に不透液性シートを配置することが好ましい。剛性付与部材３０は、ポケット２０が潰れた状態から立体形状へと繰り返し回復可能となるように、吸収体８２よりも高い反撥性（クッション性）を有していることが好ましく、このようなシート部材としては、例えば、ウレタンフォーム、発砲ポリスチレンシート、気泡ポリエチレンシート、各種ゴムシート、シリコンシート、ゲルシート、又はエアレイド不織布等を用いることができる。なお、エアレイド不織布を用いる場合には、複数枚のシートを重ねて単位面積当たりの質量を３０〜２５０ｇ／ｍ２とすることが柔軟性を維持する観点で好ましい。本実施形態では、剛性付与部材３０として、反撥性を有するウレタンフォームを用いている。
【００３７】
通常、比較的に低月齢の乳幼児は、授乳時や母親に抱きかかえられた体勢等の様々なシチュエーションで流動性のある軟便を排泄するので、後ウエスト開口から軟便が漏れたり、着用者の背面に軟便が押し付けられて汚れたりするおそれがある。特に、後ウエスト域１２においては、臀部が突出した外形を有することからかかる隙間が形成され難く、排泄物を一時的に収容、保持するためには、本実施形態に係るおむつ１０のように、着用状態において立体形状を呈するようなポケット空間Ｓを意図的に形成することが必要となる。
【００３８】
本実施形態においては、ウエスト当接域３１とポケット２０とが後ウエスト域１２のウエスト開口側に位置し、ウエスト当接域３１が後上方ウエスト弾性体４８の収縮力によって着用者の身体にフィットされるので、クロッチ域１３側から後ウエスト開口側へ移動した排泄物の漏れが防止されるとともに、移動が阻止された排泄物が上方へ凸状に延びるポケット空間Ｓに流入して一時的に収容、保持される。このように、移動が阻止された排泄物を後ウエスト域１２の背面側に位置するポケット２０に進入させることによって、排泄物が身体に接触することによる不快感や肌トラブルを抑制することができる。ポケット２０は、ウエスト当接域３１の伸縮と直接的に連動するものではないから、後ウエスト域１２が伸長されてもポケット２０の開口が閉じたりするおそれはない。また、ポケット２０は、吸収体８２の上端部（後端部）よりも上方に位置することから、吸収体８２で吸収されずに後ウエスト開口側へ移動した体液を収容することができる。
【００３９】
図４、図５及び図９を参照すると、ポケット２０の開口付近に剛性付与部材３０が配置されることにより、開口を拡げてポケット空間Ｓ内に排泄物が収容され易くすることができる。さらに、ポケット両側域２４に剛性付与部材３０が配置されることにより、ポケット両側域２４が厚さ方向Ｚに起立し易くなり、ポケット内側域２２とポケット外側域２３とを前後方向に離間させてポケット空間Ｓを安定的に形成することができる。ポケット２０の開口が閉じた状態では、後ウエスト開口側へ移動した排泄物がウエスト当接域３１の下端部（すなわち、折曲部２７に近接する部位）に当接し、ポケット空間Ｓの奥まで到達せずに、ポケット開口付近に留まるおそれがあるが、ポケット２０の開口を拡げてポケット空間Ｓを大きくすることで、かかる事態を抑制し得る。
【００４０】
また、変形誘導部８９の存在箇所では吸収体８２が変形しやすくなり、後ウエスト域１２では、吸収体８２が着用者の臀部に沿って湾曲する形状を呈することができる。ポケット２０は吸収体８２の縦方向Ｙにおける延長線上に位置しており、吸収体８２の湾曲形状に連動して、臀部に沿うように丸みを帯びた湾曲形状を呈することができ、剛性付与部材３０によるポケット外側域２３の形状復元作用と組み合わせることで、より開口を拡げ、立体的で排泄物を収容し易いポケット空間Ｓを形成し得る。
【００４１】
また、ポケット２０を形成するベースシート４０の一部がサイドシーム１８から横方向Ｘの内側へ延びる接合域７３を介して接合されており、ベースシート４０自体が、レッグ弾性体８７及びカフ弾性体８６よりも縦方向Ｙの外側に位置して、それらとおむつ１０の平面視において互いに重なっていない。したがって、レッグ弾性体８７やカフ弾性体８６の収縮力が間接的にポケット外側域２３に作用してそれを下方へ引っ張ろうとする力が働いたとしても、ポケット外側域２３が下方へ引っ張られることによって折曲部２５が崩れてポケット空間Ｓが消滅するおそれはない。
【００４２】
また、本実施形態では剛性付与部材３０として、着色されたウレタンフォームを用いており、剛性付与部材３０の肌当接面側は防漏シート８３及び不透液性シート７５によって覆われている。このように、吸収体８２の縦方向Ｙ外側において剛性付与部材３０及び不透液性シート７５がポケット２０まで延びていることによって、ポケット２０内に収容された排泄物が外観視において視認され難くすることができる。さらに、剛性付与部材３０及び／又は不透液性シート７５が着色されることにより、排泄物をより視認され難くすることができる。なお、剛性付与部材３０の着色は、おむつ１０の非肌当接面を形成するシート部材の色（白色）以外の色であればよく、美観を向上するために有彩色に着色されることが好ましい。
【００４３】
おむつ１０の非着用状態においては、ポケット２０のポケット両側域２４が縦軸Ｐへ向かって断面略Ｖ字状に折り込まれた態様を有する一方、着用状態においては、ポケット両側域２４が起立してポケット内側域２２がウエスト当接域３１の中央部３２から離間してポケット空間Ｓが形成される。おむつ１０の非着用状態においては、ポケット両側域２４が折り込まれた態様を有してウエスト当接域３１の中央部３２とポケット内側域２２とが当接した状態となることによって、後ウエスト域１２全体がよりコンパクトになって、厚さ方向Ｚの寸法が着用状態に比べて小さくなるので、複数のおむつ１０の収納性及び運搬時の利便性に優れる。
【００４４】
また、着用者が仰臥状態であって、ポケット２０に着用者の体圧が掛かったときにおいても、ポケット両側域２４が折り込まれた態様を有してウエスト当接域３１の中央部３２とポケット内側域２２とが互いに当接した状態となるので、ベースシート４０が体圧によって歪に変形されたりして、後ウエスト域１２における部分的な厚みの変化によって生じる異物感を着用者に与えるおそれはない。ポケット両側域２４は、着用者の身体に接近離間する方向、すなわち、厚さ方向Ｚにおいて屈伸運動可能であるから、体圧から開放されたときに、ポケット両側域２４が身体から離間する方向Ｆ（図５参照）へ起立して、再び立体的なポケット空間Ｓが形成される。
【００４５】
このように、ポケット両側域２４の屈伸運動によってポケット２０が安定的に繰り返して立体形状を呈することができるので、頻繁に姿勢を変化させたり、頻度高い軟便を繰り返す低月齢の乳幼児が着用する場合であっても、軟便を確実にポケット空間Ｓに収容することができる。また、既述のとおり、ポケット内側域２２は、所要の縦方向Ｙの寸法を有することから、ポケット両側域２４が起立することによって中央部３２に対して傾斜して後方へ移動し、ポケット２０の天面としての役割を果たし得るので、天面及びポケットの両側域２４側の折曲構造を有しない態様に比して、より多くの排泄物を収容することができる。
【００４６】
さらに、本実施形態において剛性付与部材３０は、吸収体８２の後端縁８２ａから縦方向Ｙ外方へ延び、剛性付与部材３０の外端縁３０ｂは、ポケット内外側域２２，２３の境界部分となる折曲部２５の近傍に位置しているため、ポケット２０の開口から天面まで延びるポケット外側域２３の歪な変形を抑制して、ポケット空間Ｓを大きくし、多くの排泄物を収容することができる。また、剛性付与部材３０が縦方向Ｙにおいて吸収体８２の後端縁８２ａと離間して配置される場合には、剛性付与部材３０の非配置部位においておむつ１０が折曲されて、排泄物のポケット２０への移動が抑制されるおそれがあるが、本実施形態では、剛性付与部材３０が吸収体８２の後端縁８２ａからポケット外側域２３まで延在することにより、かかる事態をなくして、排泄物をポケット空間Ｓに収容することができる。
【００４７】
ポケット内外側域２２，２３は、両側固定部２６においてウエスト当接域３１と固定されているため、ウエスト当接域３１の収縮に連動して立体形状を形成しやすい。着用状態において、ウエスト当接域３１が横方向Ｘへ伸長された場合でも、ポケット２０が立体形状を呈するためには、中央部３２を含めたウエスト当接域３１の横方向Ｘにおける収縮量（収縮した部分の横方向Ｘにおける長さ寸法）が、ポケット内側域２２及び／またはポケット外側域２３の横方向Ｘにおける収縮量よりも大きいことが好ましい。かかる場合には、例えば、ウエスト当接域３１が自然状態（収縮時）に比して横方向Ｘへ所定倍率伸長されたときであっても、ポケット両側域２４が完全に倒伏されず、ポケット２０は立体形状を維持することができる。
【００４８】
したがって、ウエスト当接域３１には、横方向Ｘへ伸縮可能な弾性体を配置する一方、ポケット内側域２２及び／又はポケット外側域２３には弾性体を配置せず、実質的に弾性的に非伸縮性とすることが好ましい。また、図示していないが、ポケット内側域２２及び/又はポケット外側域２３に横方向Ｘへ伸縮可能な弾性体を配置する場合には、中央部３２に配置する弾性体、すなわち、後上方ウエスト弾性体４８よりも収縮率の低い弾性体を配置することが好ましい。ポケット内側域２２に横方向Ｘへ伸長可能な弾性体を配置した場合には、中央部３２が伸長されてポケット両側域２４にそれを倒伏させようとする力が作用するときに、該弾性体が収縮せずにその力に抗してポケット両側域２４の起立状態及び中央部３２からポケット内側域２２が離間した状態を維持するので、ポケット２０がより安定的に立体形状を呈することができる。さらに、ポケット内外側域２２,２３がともに弾性伸縮性を有する場合には、ポケット２０を安定的に形成するために、ポケット内側域２２の横方向Ｘにおける収縮率がポケット外側域２３の横方向Ｘにおける収縮率よりも高いことが好ましい。
【００４９】
＜各領域の収縮率の測定方法＞
まず、おむつ１０の展開状態において、ポケット内側域２２と平面視において重なるポケット外側域２３とウエスト当接域３１との積層領域（図２の破線Ｋで囲んだポケットの配置領域）を所定幅の大きさ（例えば、縦寸法１５ｍｍ×横寸法１００ｍｍ）で切り出してそれぞれサンプルとして、以下の手順により、各サンプルの寸法を測定した。ｉ）各サンプルの横方向Ｘにおいて対向する両端部のうちの一方端部を把持し、ｉｉ）他方端部にクリップと錘を取り付けて、各サンプルが捩じれることなく床面に対して垂直となるように吊持した。かかる状態において、弾性要素（弾性要素がない場合にはシートの所定箇所）の配置領域において横方向に離間対向する２カ所の部分にインク等でマークを付し、該マーク間の離間寸法を測定して、それを各サンプルの収縮時の寸法（Ｌ３）とした。なお、錘の重さは、各サンプルに配置された弾性要素が伸長されない程度のものであれば調整することが可能であって、本測定では、約５.０ｇの錘を用いた。ｉｉｉ）次に、各サンプルからクリップと錘を外して、表面に弾性要素によるギャザーがなくなるまで横方向Ｘへ伸長させた後、２カ所のマークの離間寸法を測定して、伸長時の寸法（Ｌ４）とした。かかる測定方法によって測定した寸法Ｌ３，Ｌ４を収縮率＝（（Ｌ４−Ｌ３）／Ｌ４）×１００（％）の算式に当てはめて各サンプルの収縮率（％）を算出した。
【００５０】
図５を参照すると、中央部３２とポケット２０とがベースシート４０から形成され、それらを形成するシート部材の横方向Ｘの寸法が同一であるといえることから、中央部３２が後上方ウエスト弾性体４８の影響で収縮することによって、ポケット内側域２２に弾性体が配置されていなくても、折曲部２７においてその内端部３２ａと連なるポケット内側域２２の横方向Ｘの寸法が縮められる。それによって、ポケット内側域２２には、縦方向Ｙへ延びる複数のギャザー（畝）が形成される。このように、縦方向Ｙへ延びる複数のギャザーが形成されることによって、それらがリブのように機能して、ポケット内側域２２の横方向Ｘ及び縦方向Ｙにおける剛性が向上し、ポケット２０は、安定的にボックス状の立体形状を形成することができる。図示していないが、前ウエスト域１１においても、尿を一時的に収容、保持するために、後ウエスト域１２と同様に下方へ開口可能なポケットを配置してもよい。
【００５１】
＜変形例１＞
図１１に示す変形例１では、剛性付与部材３０がベースシート４０に配置されている。具体的には、剛性付与部材３０は、ベースシート４０の内端部４５及び中間部４４に位置するように、不透液性シート７５と内面シート４６との間に配置されている。かかるおむつ１０においても、剛性付与部材３０によって、ポケット２０の開口を拡げてポケット空間Ｓ内に排泄物が収容され易くすることができる。なお、剛性付与部材３０によって着用状態におけるポケット２０の開口状態を良好にするには、剛性付与部材３０が、ポケット内側域２２、ポケット外側域２３及び延出域２８のうち少なくとも一つの領域においてポケット２０の開口近傍に配置されていればよく、例えば、ポケット内側域２２にのみ剛性付与部材３０を配置する構成であってもよい。図示例のように、剛性付与部材３０が延出域２８からポケット内側域２２まで連続して配置される場合には、ポケット２０の開口が、よりウエスト当接域３１から後方へ離間するように開きやすくなり、さらに、剛性付与部材３０が反撥性を有する場合には、かかる効果が向上する。
【００５２】
＜変形例２＞
図１２に示す変形例２においては、ウエスト当接域３１とポケット２０等が、後ウエストシート６０から形成される。具体的には、後ウエストシート６０が吸収シャーシ１５の後端部１５Ｂよりもさらにウエスト開口１９側へ延出し、該延出部分がポケット内外側域２２，２３及び折曲部２５，２７を形成するように折曲され、かつ、折曲状態が維持されるように第１及び第２接合域７１Ａ，７２Ａに相当する接合域を介して接合される。かかるおむつ１０において、剛性付与部材３０は、後ウエストシート６０の内面シート６１と外面シート６２との間に配置されており、不透液性シート７５は、剛性付与部材３０と内面シート６１との間に配置される。おむつ１０が、かかる構成態様を有する場合であっても、ウエスト当接域３１に接近離間可能な下方へ開口するポケット２０が形成され、本発明における技術的効果を奏することができる。なお、ポケット内側域２２、ポケット外側域２３及び延出域２８のうち、少なくとも一つの領域においてポケット２０の開口近傍に配置されていればよく、剛性付与部材３０が吸収体８２の後端縁８２ａからポケット内側域２２まで延在していてもよい。
【００５３】
本発明のおむつ１０を構成する各構成材料には、特に記述がなされている場合を除き、この種の分野において通常用いられている、各種の公知の材料を制限なく用いることができる。また、おむつ１０の基本構造として、本明細書においては、前後ウエスト域１１，１２が別体の前後ウエストパネル１６，１７から形成されるものを例示したが、前後ウエスト域１１，１２及びクロッチ域１３とが連続するパネルによって形成された構成であってもよいし、前後ウエスト域１１，１２の両側縁部が予め連結されたプルオン型ではなく、それらをテープファスナで連結するオープン型のおむつであってもよい。また、本明細書において使用されている「第１」、「第２」等の用語は、同様の要素、位置等を単に区別するために用いてある。
【００５４】
以上に記載した本発明に関する開示は、少なくとも下記事項に整理することができる。
縦方向及び横方向と、肌当接面及びその反対側の非肌当接面とを有し、前ウエスト域と、後ウエスト域と、前記前ウエスト域及び前記後ウエスト域間に位置するクロッチ域と、前記クロッチ域から前記前ウエスト域及び前記後ウエスト域へ延びる吸収体とを含む使い捨ての着用物品において、前記後ウエスト域は、前記肌当接面側に位置して前記横方向へ延びるウエスト当接域と、前記横方向における中央部において前記ウエスト当接域と厚さ方向において対向し、前記非肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット内側域、前記ポケット外側域及び前記ポケット外側域から前記クロッチ域側へ延びる延出域のうちの少なくとも一つの領域において、前記ポケットの開口近傍には、剛性付与部材が配置されており、前記剛性付与部材は、前記吸収体の後端縁から前記縦方向の外側へ延在している。
【００５５】
上記段落００５４に開示した本発明に係る使い捨ての着用物品は、少なくとも下記の実施の形態を含むことができる。
（１）前記後ウエスト域は、前記ポケット外側域及び前記延出域の前記非肌当接面を形成する外面シートを有し、前記剛性付与部材は、前記外面シートの前記肌当接面側に位置する。
（２）前記剛性付与部材は、前記吸収体の後端縁から前記縦方向の外側へ延在している。
（３）前記剛性付与部材の前記縦方向における外端縁は、前記折曲部と重なって又は前記折曲部に近接して位置する。
（４）前記剛性付与部材は、前記吸収体よりも高い反撥性を有する。
（５）前記剛性付与部材は、単層又は複数層からなるシート部材から形成される。
（６）前記ポケット内側域及び前記ポケット外側域のそれぞれは、前記ポケットの開口の前記横方向の両側において前記ウエスト当接域に固定される両側固定部を有する。
（７）前記ポケット内側域の前記横方向における収縮率は、前記ポケット外側域の前記横方向における収縮率よりも高い。
（８）前記ウエスト当接域の前記横方向における収縮率は、前記ポケット内側域及び前記ポケット外側域の前記横方向における収縮率よりも高い。
（９）前記ポケットは、前記ポケット内側域の両側部及び前記ポケット外側域の両側部から形成され、かつ、前記横方向の内側へ折り込まれたポケット両側域を有し、前記ポケット両側域には前記剛性付与部材が配置される。
（１０）前記剛性付与部材は、着色されている。
（１１）前記剛性付与部材の前記肌当接面側に配置され、少なくとも前記吸収体の後端縁から前記折曲部まで延びる不透液性のシートをさらに有する。
（１２）前記吸収体は、前記後ウエスト域において前記縦方向へ延びる変形誘導部を有する。
【符号の説明】
【００５６】
１０  使い捨てのおむつ
１１  前ウエスト域
１２  後ウエスト域
１３  クロッチ域
２０  ポケット
２２  ポケット内側域
２３  ポケット外側域
２４  ポケット両側域
２５  折曲部
２６  ポケットの両側固定部
２８  延出域
３０  剛性付与部材
３１  ウエスト当接域
３２  ウエスト当接域の中央部
７５  不透液性シート
８２  吸収体
８９  変形誘導部
Ｘ  横方向
Ｙ  縦方向
【要約】
【課題】後ウエスト域において、ウエスト開口側へ移動する排泄物を収容、保持し、かつ、排泄物が着用者の肌に触れるのを抑制することのできるポケットを備えた使い捨ての着用物品の提供。
【解決手段】使い捨ての着用物品（１０）の後ウエスト域（１２）は、肌当接面側に位置して横方向（Ｘ）へ延びるウエスト当接域（３１）と、前記ウエスト当接域と厚さ方向（Ｚ）において対向し、前記非肌当接面側に位置してクロッチ域（１３）側へ開口可能なポケット（２０）とを有する。前記ポケットは、ポケット外側域（２３）と、ポケット内側域（２２）とを有し、前記ポケット内側域、前記ポケット外側域及び前記ポケット外側域から前記クロッチ域側へ延びる延出域（２８）のうちの少なくとも一つの領域において、前記ポケットの開口近傍には、剛性付与部材（３０）が配置される。
【選択図】図５【図１】
0005946557.tif 000002
【図２】
0005946557.tif 000003
【図３】
0005946557.tif 000004
【図４】
0005946557.tif 000005
【図５】
0005946557.tif 000006
【図６】
0005946557.tif 000007
【図７】
0005946557.tif 000008
【図８】
0005946557.tif 000009
【図９】
0005946557.tif 000010
【図１０】
0005946557.tif 000011
【図１１】
0005946557.tif 000012
【図１２】
0005946557.tif 000013